(57)【要約】【課題】セル内面へのファウリングによる測定誤差発生を防ぐことができる水質分析方法を提供する。【解決手段】測定セル１内のサンプル水による吸光又は散乱を発光体６及び受光体７によって測定する水質分析装置を用いる水質分析方法において、測定セル内のサンプル水を測定サイクル毎に排出することを特徴とする水質分析方法。好ましくは、前記サンプル水の排出後、次測定まで測定セル内にサンプル水を存在させないようにする。また、好ましくは、測定セル内部での通水速度を６ｃｍ／ｓｅｃ以上にする。【選択図】図１
2019174173.tif 000002
【特許請求の範囲】
【請求項１】
測定セル内のサンプル水による吸光又は散乱を発光体及び受光体によって測定する水質分析装置を用いる水質分析方法において、測定セル内のサンプル水を測定サイクル毎に排出することを特徴とする水質分析方法。
【請求項２】
前記サンプル水の排出後、次測定まで測定セル内にサンプル水を存在させないことを特徴とする請求項１の水質分析方法。
【請求項３】
前記測定セル内の通水線速度を６ｃｍ／ｓｅｃ以上とすることを特徴とする請求項１又は２の水質分析方法。
【請求項４】
通水線速度を６〜１０ｃｍ／ｓｅｃとすることを特徴とする請求項３の水質分析方法。
【発明の詳細な説明】
【技術分野】
【０００１】
本発明は、水質分析方法に係り、特に、比色法または比濁法を測定原理とする水質分析装置を用いた水質分析方法に関する。
【背景技術】
【０００２】
オンライン型の水質分析計においては、測定セルにサンプル水を注入し、測定項目に応じた測定試薬を添加し発色または白濁させ、測定試薬添加前後の吸光度の変化を測定する事によりサンプル水中の薬剤濃度を算出している（特許文献１，２）。
【０００３】
この水質分析計にあっては、サンプル水中のＳＳまたは微生物が測定セル内で堆積または繁殖し、測定セル内壁が汚染（ファウリング）され、吸光度を測定するセンサーが正常な値を検出できなくなることがある。
【０００４】
すなわち、従来では、測定セル内部に通水速度は２〜５ｃｍ／ｓｅｃで通水している。この通水速度では測定セル内部に一度付着したＳＳは剥離しないため測定セル内部に滞留してしまう。また、微生物由来のファウリングも流速が低いため、剥離せず、測定セル壁面上で繁殖してしまう。
【先行技術文献】
【特許文献】
【０００５】
【特許文献１】特開２０１０−１８１１５０号公報
【特許文献２】特開２０１４−１８６０２７号公報
【発明の概要】
【発明が解決しようとする課題】
【０００６】
本発明は、セル内面のファウリングによる測定誤差発生を防ぐことができる水質分析方法を提供することを目的とする。
【課題を解決するための手段】
【０００７】
本発明の水質分析方法は、測定セル内のサンプル水による吸光又は散乱を発光体及び受光体によって測定する水質分析装置を用いる水質分析方法において、測定セル内のサンプル水を測定サイクル毎に排出することを特徴とする。
【０００８】
本発明の一態様では、前記サンプル水の排出後、次測定まで測定セル内にサンプル水を存在させない。
【０００９】
本発明の一態様では、測定セル内の通水線速度を６ｃｍ／ｓｅｃ以上、好ましくは６〜１０ｃｍ／ｓｅｃとする。
【発明の効果】
【００１０】
本発明では、測定サイクル毎に測定セル内の水を一旦排出することにより測定セル内部のファウリングを防止し、精度の高い水質測定を行うことができる。
【００１１】
また、測定セル内のサンプル水を測定サイクル毎に排出し、次測定までサンプル水の注入を停止することにより、測定セル内でサンプル水が存在する時間が大幅に減少し、測定セル内部のファウリングが防止される。
【００１２】
また、測定セル内部での通水速度を６ｃｍ／ｓｅｃ以上にする事により、水流の剪断力により、測定セル内部のファウリングを防止することができる。
【図面の簡単な説明】
【００１３】
【図１】実施の形態に係る水質分析装置の概略的な断面図である。
【図２】本発明方法の一例を示すシーケンス図である。
【図３】実験結果を示すグラフである。
【発明を実施するための形態】
【００１４】
図１を参照して実施の形態について説明する。測定セル１はサンプル水の流入口２と流出口３とを有する。測定セル１の一方の側面は透明部４となっており、該透明部４の反対側のセル内面は白色の反射面５となっている。透明部４の外部を覆うようにカバー８が設けられ、該カバー８内に、発光ダイオード等よりなる発光体６と、フォトダイオード等よりなる受光体７とが設けられている。発光体６からの光がセル１内のサンプル水を透過し、反射面５で反射され、サンプル水を透過して受光体７で受光され、吸光度が測定される。セル１の容積は０．３〜３．０ｍＬ特に０．５〜１．０ｍＬ程度が好適であるが、これに限定されない。
【００１５】
サンプル水は、ポンプ例えばチューブポンプ１０によって測定セル１に供給される。本発明では、測定サイクル毎に測定セル１内の水を一旦排出し、空の状態にすることにより測定セル内部のファウリングを防止する。また、測定セル１内のサンプル水を測定サイクル毎に排出し、次測定までサンプル水の注入を停止することが好ましい。これにより、測定セル内でサンプル水が存在する時間が大幅に減少し、測定セル内部のファウリングを防止する事が出来る。
【００１６】
測定セル１内のサンプル水の排出は、チューブポンプ１０を逆転させることにより行われる。本手法での測定シーケンスの一例を図２に示す。
【００１７】
本発明では、セル１内のサンプル水の線速度が６ｃｍ／ｓｅｃ以上、例えば６〜２０ｃｍ／ｓｅｃ好ましくは６〜１０ｃｍ／ｓｅｃとなるようにサンプル水量を制御するのが好ましい。このようにサンプル水の線速度を６ｃｍ／ｓｅｃ以上とすることにより、測定セル１のファウリングが防止される。即ち、６ｃｍ／ｓｅｃ以上の通水速度にすることで、水流の剪断力により測定セル内壁に付着したファウリング物質はセル内壁から剥離し測定セル外に放出される。また測定セル内の通水速度を上げることにより発生する乱流もファウリング物質の剥離に寄与している。
【００１８】
本手法により、測定セル１内へのファウリング物質の付着が防止されるため、連続して正常値と同等のセンサーの値を取得出来るようになり、安定した測定を行う事ができる。
【００１９】
なお、測定を行っている間、継続してサンプル水線速度を６ｃｍ／ｓｅｃ以上としてもよく、測定に先だってサンプル水線速度を６ｃｍ／ｓｅｃ以上とし、測定時にはサンプル水線速度をそれよりも低い値（停止も含む。）として測定を行ってよい。
【００２０】
上記測定セル１は反射面５を有しているが、セル１の両側面を透明部とし、一方の透明部の外側に発光体を配置し、他方の透明部の外側に受光体を配置してもよい。
【実施例】
【００２１】
以下の比較例及び実施例では、サンプル水として実稼働中の開放循環式冷却水を用いた。
【００２２】
［比較例１］
測定セル（容積０．７ｍＬ）にサンプル水を流速が３ｃｍ／ｓｅｃになる様に通水した。測定セル内のサンプル水は排出せず５分間隔で連続測定し、３０日毎に測定試薬の入っていない状態でのセンサー値を記録した。結果を図１に示す。
【００２３】
［実施例１］
流速が８ｃｍ／ｓｅｃ以上になる様に通水すると共に、測定サイクル毎にサンプル水ポンプを逆転させ測定セル内のサンプル水を排出し、３０日毎に測定試薬の入っていない状態でのセンサー値を記録した。これ以外は比較例１と同一の条件にて試験を行った。結果を図１に示す。
【００２４】
［実施例２］
流速を３ｃｍ／ｓｅｃとしたこと以外は実施例１と同一条件で試験を行った。結果を図１に示す。
【００２５】
図１では、センサー値が低くなるほど測定セルの内部が汚れていることを示す。図１の通り、本発明によると高精度の測定が可能となることが認められた。また、流速を大きくした実施例１は長期にわたって高精度の測定が可能であることが認められた。
【符号の説明】
【００２６】
１  測定セル
５  反射面
６  発光体
７  受光体
１０  チューブポンプ
【図１】
2019174173.tif 000003
【図２】
2019174173.tif 000004
【図３】
2019174173.tif 000005